(57)【特許請求の範囲】
【請求項１】
系統連系又は自立運転を行う分散電源装置の遮断器の開閉制御装置において、
系統電源からの受電用遮断器から前記分散電源装置の遮断器の直前に到るまでの電力経路に配列された複数の上流遮断器の配列情報に対して、
前記上流遮断器の開閉状態に対応する開閉信号が入力されるように予め備えられた少なくとも４個乃至９個の変数と、
前記上流遮断器の直列接続を意味する第１論理記号と、
前記上流遮断器の並列接続を意味する第２論理記号と、
前記上流遮断器の配列情報の一部を一群の遮断器群として区切る区切り記号と
によって設定式を設定可能に構成し、
前記各変数は、それぞれの前記上流遮断器に割り当てられ、前記上流遮断器が閉の場合は「１」を示す論理記号とされ、前記上流遮断器が開の場合は「０」を示す論理記号とされ、
前記直列接続を意味する前記第１論理記号は、論理積（ＡＮＤ）の記号であり、前記並列接続を意味する前記第２論理記号は、論理和（ＯＲ）の記号であり、
前記設定式は、前記上流遮断器の接続を基に、前記各変数と、前記第１論理記号と、前記第２論理記号と、前記一群の遮断器群として区切る前記区切り記号とを用いて設定され、
前記設定された設定式によって前記上流遮断器の開閉信号から算出される電力経路の開閉状態に基づき、前記分散電源装置の遮断器の開閉制御を行うことを特徴とする分散電源装置の遮断器の開閉制御装置。
【請求項２】
請求項１記載の分散電源装置の遮断器の開閉制御装置において、
前記変数、前記第１論理記号、前記第２論理記号及び前記区切り記号を入力操作可能な画面に表示して選択入力可能とし、
前記画面への選択入力操作によって、設定されるべき前記上流遮断器の配列情報を画面表示する構成としたことを特徴とする分散電源装置の遮断器の開閉制御装置。
【発明の詳細な説明】
【技術分野】
【０００１】
本発明は、系統連系又は自立運転を行う分散電源装置の遮断器の開閉制御装置に関する。
【背景技術】
【０００２】
従来、分散電源装置によって系統連系又は自立運転を行う場合において、系統電源からの受電用遮断器から分散電源装置の遮断器の直前に到るまでの電力経路には、安全性等の観点から、ユーザーの設備状況等に応じて遮断器が配置されていることが多い。
【０００３】
図８は、分散電源装置１００によって系統連系又は自立運転を行う従来の電力設備の概略構成の一例を示す図である。
【０００４】
図８に示すように、系統電源３００からの受電用遮断器５２Ｒから分散電源装置１００の遮断器５２Ｇの直前に到るまでの電力経路Ｐには、通常、複数の上流遮断器５２（５２1，５２2，…）が配置される。
【０００５】
図９は、図８に示す電力経路Ｐにおける遮断器の配列状態を示す概略図であり、図９（ａ）は、その一例を示しており、図９（ｂ）は、その他の例を示している。
【０００６】
図９（ａ）に示す配列状態では、受電用遮断器５２Ｒ及び遮断器５２Ｇの間に設けられた遮断器５２1，５２2，５２3が直列接続されている。また、図９（ｂ）に示す配列状態では、直列接続された受電用遮断器５２Ｒ及び遮断器５２Ｇの間において、並列接続された遮断器５２1，５２2が遮断器５２3と直列接続されている。なお、市場での上流遮断器５２Ｒ，５２1，５２2，…は、図９に示すような配列状態に限らず、ユーザーの設備状況等によって、様々な配列状態となっている。
【０００７】
ところで、分散電源装置１００の直前に配置されている遮断器５２Ｇを開閉制御する開閉制御装置２００’は、電力経路Ｐに配列されて遮断器５２Ｇより上流側に位置する上流遮断器の開閉状態によって、遮断器５２Ｇの開閉制御を行うようになっている。即ち、開閉制御装置２００’は、上流遮断器からの開閉信号に基づき系統電源３００から負荷Ｌ側へ電力が供給されているか否かを認識した状態で遮断器５２Ｇを開閉するようになっている。
【０００８】
具体的には、開閉制御装置２００’は、系統電源３００から負荷Ｌ側へ電力が供給されていると認識している場合に遮断器５２Ｇを閉じることで系統連系を行う一方、系統電源３００から負荷Ｌ側へ電力が供給されていないと認識している場合に遮断器５２Ｇを閉じることで自立運転を行うようになっている。
【０００９】
しかしながら、既述したように、系統電源３００から負荷Ｌ側への電力供給の有無を認識するための上流遮断器はユーザーの設備状況等によって様々な配列状態となっているため、開閉制御装置２００’は、ユーザー毎に異なる上流遮断器の配列状態に対応して電力経路の開閉状態を判断することによって系統電源３００から負荷Ｌ側へ電力が供給されているか否かを認識できるように、個別に構成（カスタマイズ）されていた。
【００１０】
或いは、開閉制御装置２００’は、限定された３個の変数を有するモデル式：ＣＢ１＊ＣＢ２＊ＣＢ３が予め設定され、系統電源３００から負荷Ｌ側への電力供給の有無を認識するための上流遮断器の配列情報をこの３個の変数に入力できるようになっていた。ここで、変数ＣＢ１，ＣＢ２，ＣＢ３は、開閉制御装置２００’が上流遮断器からの開閉信号を演算するためのものであり、“＊”は、直列接続を意味する論理積の記号である。
【００１１】
かかる開閉制御装置２００’では、上流遮断器が３個以下の場合、上流遮断器の配列情報をそのまま変数ＣＢ１，ＣＢ２，ＣＢ３に割り当てることができるが、４個以上になると手間がかかるといった不都合を招く。即ち、現場において、４個以上の上流遮断器の配列情報を直列接続状態の３つの遮断器群に適宜分割した配列情報が、それぞれ、前記モデル式の変数ＣＢ１，ＣＢ２，ＣＢ３に割り当てられることで、これら上流遮断器からの開閉信号によって系統電源３００から負荷Ｌ側へ電力が供給されているか否かを認識できるようになっていた。
【００１２】
これについて、図９に示す電力経路Ｐの上流遮断器が４個（５２Ｒ，５２1，５２2，５２3）の場合を例にとって具体的に説明する。
【００１３】
例えば、図９（ａ）に示す配列状態では、遮断器５２Ｒの配列情報を変数ＣＢ１に割り当てると共に、遮断器５２1及び遮断器５２2の直列接続の配列情報を、別途ユーザー毎に個別に「ＣＢ２ａ＊ＣＢ２ｂ」として演算可能に構成（カスタマイズ）した中継器Ｔ１を用いて変数ＣＢ２「＝ＣＢ２ａ＊ＣＢ２ｂ」に割り当て、さらに遮断器５２3の配列情報を変数ＣＢ３に割り当てる。これにより、モデル式：ＣＢ１＊ＣＢ２＊ＣＢ３を、別途手配した中継器Ｔ１によってＣＢ１＊ＣＢ２ａ＊ＣＢ２ｂ＊ＣＢ３に変更できる。従って、開閉制御装置２００’は、上流遮断器５２Ｒ，５２1，５２2，５２3からの開閉信号Ｓによって系統電源３００から負荷Ｌ側へ電力が供給されているか否かを認識できるようになる。
【００１４】
具体的には、遮断器５２Ｒ，５２1，５２2，５２3のうち全てが閉じているときに、遮断器５２Ｒ，５２1，５２2，５２3から変数ＣＢ１，ＣＢ２ａ，ＣＢ２ｂ，ＣＢ３にそれぞれ論理信号「１」が入力されて、モデル式：ＣＢ１＊ＣＢ２＊ＣＢ３＝ＣＢ１＊ＣＢ２ａ＊ＣＢ２ｂ＊ＣＢ３の演算結果が「１」となる。この場合、系統電源３００から負荷Ｌ側へ電力が供給されていることになる。また、遮断器５２Ｒ，５２1，５２2，５２3の少なくとも一つが開いているときに、遮断器５２Ｒ，５２1，５２2，５２3から変数ＣＢ１，ＣＢ２ａ，ＣＢ２ｂ，ＣＢ３の少なくとも一つに論理信号「０」が入力されて、モデル式：ＣＢ１＊ＣＢ２＊ＣＢ３＝ＣＢ１＊ＣＢ２ａ＊ＣＢ２ｂ＊ＣＢ３の演算結果が「０」となる。この場合、系統電源３００から負荷Ｌ側へ電力が供給されていないことになる。
【００１５】
また、図９（ｂ）に示す配列状態では、遮断器５２Ｒの配列情報を変数ＣＢ１に割り当てると共に、遮断器５２1及び遮断器５２2の並列接続の配列情報を、別途ユーザー毎に個別に「ＣＢ２ａ＋ＣＢ２ｂ」として演算可能に構成（カスタマイズ）した中継器Ｔ２を用いて変数ＣＢ２「＝ＣＢ２ａ＋ＣＢ２ｂ」に割り当て、さらに遮断器５２3の配列情報を変数ＣＢ３に割り当てる。これにより、モデル式：ＣＢ１＊ＣＢ２＊ＣＢ３を、別途手配した中継器Ｔ２によってＣＢ１＊（ＣＢ２ａ＋ＣＢ２ｂ）＊ＣＢ３に変更できる。従って、開閉制御装置２００’は、上流遮断器５２Ｒ，５２1，５２2，５２3からの開閉信号Ｓによって系統電源３００から負荷Ｌ側へ電力が供給されているか否かを認識できるようになる。ここで、“＋”は並列接続を意味する論理和の記号であり、“（”，“）”は、上流遮断器５２Ｒ，５２1，５２2，５２3の配列情報の一部を一群の遮断器群として区切る区切り記号である。
【００１６】
具体的には、遮断器５２Ｒ，５２1，５２2，５２3のうち遮断器５２Ｒ，５２3の双方が閉じ且つ遮断器５２1，５２2の少なくとも一方が閉じているときに、遮断器５２Ｒ，５２3から変数ＣＢ１，ＣＢ３にそれぞれ論理信号「１」が入力され且つ遮断器５２1，５２2から変数ＣＢ２ａ，ＣＢ２ｂの少なくとも一方に論理信号「１」が入力されて、モデル式：ＣＢ１＊ＣＢ２＊ＣＢ３＝ＣＢ１＊（ＣＢ２ａ＋ＣＢ２ｂ）＊ＣＢ３の演算結果が「１」となる。この場合、系統電源３００から負荷Ｌ側へ電力が供給されていることになる。また、遮断器５２Ｒ，５２1，５２2，５２3のうち遮断器５２Ｒ，５２3の少なくとも一方が開いているとき及び／又は遮断器５２1，５２2が何れも開いているときに、遮断器５２Ｒ，５２3から変数ＣＢ１，ＣＢ３の少なくとも一方に論理信号「０」が入力され及び／又は遮断器５２1，５２2から変数ＣＢ２ａ，ＣＢ２ｂの双方に論理信号「０」が入力されて、モデル式：ＣＢ１＊ＣＢ２＊ＣＢ３＝ＣＢ１＊（ＣＢ２ａ＋ＣＢ２ｂ）＊ＣＢ３の演算結果が「０」となる。この場合、系統電源３００から負荷Ｌ側へ電力が供給されていないことになる。
【００１７】
このように、従来の何れの技術においても、系統電源からの受電用遮断器から分散電源装置の遮断器の直前に到るまでの電力経路における上流遮断器の配列情報を設定するに際して、ユーザー毎に開閉制御装置をカスタマイズしたり、或いは、モデル式が設定された開閉制御装置に対してカスタマイズした中継器を別途手配したりといった煩雑な作業を行う必要があり、非常に不便であった。
【００１８】
なお、関連技術分野における参考文献として下記特許文献１，２のものがある。即ち、特許文献１には、複数の発電部の制御に必要なパラメータを管理する統合コントローラや操作表示器を備える需要家電力設備が開示されている。また、特許文献２には、受電設備のための単線結線図の作成装置が開示されている。
【特許文献１】特開２０００−１１６１９５号公報
【特許文献２】特開２００２−７８１９９号公報
【発明の開示】
【発明が解決しようとする課題】
【００１９】
そこで、本発明は、系統電源からの受電用遮断器から分散電源装置の遮断器の直前に到るまでの電力経路における上流遮断器の配列情報の設定自由度を向上させることができる分散電源装置の遮断器の開閉制御装置を提供することを目的とする。
【課題を解決するための手段】
【００２０】
本発明は、前記課題を解決するために、系統連系又は自立運転を行う分散電源装置の遮断器の開閉制御装置において、系統電源からの受電用遮断器から前記分散電源装置の遮断器の直前に到るまでの電力経路に配列された複数の上流遮断器の配列情報に対して、前記上流遮断器の開閉状態に対応する開閉信号が入力されるように予め備えられた少なくとも４個乃至９個の変数と、前記上流遮断器の直列接続を意味する第１論理記号と、前記上流遮断器の並列接続を意味する第２論理記号と、前記上流遮断器の配列情報の一部を一群の遮断器群として区切る区切り記号とによって設定式を設定可能に構成し、前記各変数は、それぞれの前記上流遮断器に割り当てられ、前記上流遮断器が閉の場合は「１」を示す論理記号とされ、前記上流遮断器が開の場合は「０」を示す論理記号とされ、前記直列接続を意味する前記第１論理記号は、論理積（ＡＮＤ）の記号であり、前記並列接続を意味する前記第２論理記号は、論理和（ＯＲ）の記号であり、前記設定式は、前記上流遮断器の接続を基に、前記各変数と、前記第１論理記号と、前記第２論理記号と、前記一群の遮断器群として区切る前記区切り記号とを用いて設定され、前記設定された設定式によって前記上流遮断器の開閉信号から算出される電力経路の開閉状態に基づき、前記分散電源装置の遮断器の開閉制御を行うことを特徴とする分散電源装置の遮断器の開閉制御装置を提供する。
【００２１】
本発明に係る分散電源装置の遮断器の開閉制御装置によれば、前記電力経路における上流遮断器の配列情報に対して、前記少なくとも４個乃至９個の変数と、前記上流遮断器の直列接続を意味する前記第１論理記号（具体的には論理積の記号）と、前記上流遮断器の並列接続を意味する前記第２論理記号（具体的には論理和の記号）と、前記区切り記号（具体的には括弧記号）とによって設定式を設定可能に構成し、前記設定された設定式によって前記上流遮断器の開閉信号から算出される電力経路の開閉状態に基づき、前記分散電源装置の遮断器の開閉制御を行うので、従来の如く、ユーザー毎に開閉制御装置をカスタマイズしなくてもよく、例えば、系統電源から負荷側への電力供給の有無を認識するための上流遮断器が４個以上であっても、該上流遮断器の配列情報をそのまま前記変数に割り当てることができる。即ち、前記電力経路における上流遮断器の配列情報の設定自由度を向上させることが可能となる。
【００２２】
本発明に係る分散電源装置の遮断器の開閉制御装置において、前記変数、前記第１論理記号、前記第２論理記号及び前記区切り記号を入力操作可能な画面（例えば感圧式画面）に表示して選択入力可能とし、前記画面への選択入力操作によって、設定されるべき前記上流遮断器の配列情報を画面表示する構成とすることが好ましい。こうすることで、上流遮断器の配列情報の設定に当って、設定情報を確認しつつ、前記変数、前記第１及び第２論理記号並びに前記区切り記号の入力操作を簡単、容易且つ迅速に行うことができる。
【発明の効果】
【００２３】
以上説明したように、本発明によると、系統電源からの受電用遮断器から分散電源装置の遮断器の直前に到るまでの電力経路における上流遮断器の配列情報の設定自由度を向上させることができる分散電源装置の遮断器の開閉制御装置を提供することができる。
【発明を実施するための最良の形態】
【００２４】
以下、本発明の実施形態について添付図面を参照しつつ説明する。なお、以下の実施の形態は、本発明を具体化した一例であって、本発明の技術的範囲を限定する性格のものではない。
【００２５】
図１は、本発明に係る開閉制御装置の一実施形態を備えた電力設備の概略構成の一例を示す図である。なお、図１に示す電力設備において、図８に示す従来の電力設備と実質的に同じ構成には同一符号を付している。
【００２６】
図１に示す電力設備は、系統電源３０と分散電源装置１００とを並列に接続して連系運転を行う系統連系と、系統電源３０とは離脱した状態で分散電源装置１００から電力供給を行う自立運転とのうちいずれか一方を行うようになっている。この電力設備において、系統電源３００からの受電用遮断器５２Ｒから分散電源装置１００の遮断器５２Ｇの直前に到るまでの電力経路Ｐには、複数の上流遮断器５２Ｒ，５２（５２1，５２2，…）が配置されている。
【００２７】
遮断器５２Ｇは、分散電源装置１００の直前に配置されている。開閉制御装置２００は、系統電源３００から負荷Ｌ側への電力供給の有無を認識するための上流遮断器の配列情報に対して、少なくとも４個乃至９個の変数と、第１論理記号と、第２論理記号と、区切り記号とによって設定式を設定可能に構成し、前記設定された設定式によって、該上流遮断器の開閉状態に対応する開閉信号Ｓから算出される電力経路の開閉状態に基づき、分散電源装置１００の遮断器５２Ｇの開閉制御を行うように構成されている。
【００２８】
図２は、開閉制御装置２００の概略構成を示すブロック図である。開閉制御装置２００は、図２に示すように、制御部２１０と、入力操作部２２０とを備えている。
【００２９】
制御部２１０は、電力経路Ｐに配列された複数の上流遮断器５２Ｒ，５２1，５２2，…を接続可能とされている。入力操作部２２０は、制御部２１０に接続されており、操作者による入力操作によって、後述する変数及び記号が入力されることで設定式（演算式）を設定できるようになっている。
【００３０】
制御部２１０は、ＣＰＵ（Central Processing Unit）等の処理部２１１と、ＲＯＭ（Read Only Memory）及びＲＡＭ（Random Access Memory）等の記憶部２１２とを含んでおり、前記処理部２１１によって、各種制御プログラムを記憶部２１２から読み出し、該読み出した制御プログラムを実行することで、遮断器５２Ｇの開閉制御を行うように構成されている。
【００３１】
詳しくは、制御部２１０は、接続される上流遮断器の配列情報に対して、少なくとも４個乃至９個の変数（即ち４個以上の変数）と、第１論理記号と、第２論理記号と、区切り記号とによって設定式を設定できるようになっている。
【００３２】
ここでは、前記変数は、９個の変数ＣＢ１〜ＣＢ９とされており、接続される上流遮断器からの開閉信号Ｓが入力されるように予め備えられている。接続される上流遮断器からの開閉信号Ｓは、該上流遮断器が開いている状態では「０」を示し、該上流遮断器が閉じている状態では「１」を示す論理信号とされている。即ち、上流遮断器は、開いているときに「０」の論理信号を開閉制御装置２００に送信する一方、閉じているときに「１」の論理信号を開閉制御装置２００に送信するものとされている。
【００３３】
なお、前記変数は、過去の経験的な統計から９個程度にしておけばほぼ対応可能であるという観点から、ここでは９個とされている。但し、この変数は、必要に応じて１０個以上に（例えば２０個にも３０個にも）することもできる。
【００３４】
前記第１論理記号は、上流遮断器の直列接続を意味する論理積（ＡＮＤ）の記号（ここでは“＊”）である。前記第２論理記号は、上流遮断器の並列接続を意味する論理和（ＯＲ）の記号（ここでは“＋”）である。また、前記区切り記号は、接続される上流遮断器の配列情報の一部を一群の遮断器群として区切る括弧記号（ここでは“（”，“）”）である。この区切り記号は、前記配列情報を遮断器群に区切ることで（即ち、論理演算される変数を区切ることで）、区切られた外側の演算よりも区切られた内側の演算を優先して行う機能を有する。
【００３５】
そして、制御部２１０は、接続された上流遮断器の開閉信号Ｓから、前記設定された設定式によって算出される電力経路の開閉状態に基づき、分散電源装置１００の遮断器５２Ｇの開閉制御を行うように構成されている。
【００３６】
以上説明した開閉制御装置２００によれば、接続された上流遮断器の配列情報に対応した設定式を設定可能に構成し、この設定式によって、当該上流遮断器の開閉信号Ｓから算出される電力経路の開閉状態に基づき、分散電源装置１００の遮断器５２Ｇを開閉制御するので、従来の如く、ユーザー毎に開閉制御装置をカスタマイズしなくてもよいし、電力経路Ｐにおいて開閉信号Ｓが入力される上流遮断器が３個以下の場合は勿論、たとえ４個以上であっても、それらの上流遮断器の配列情報をそのまま前記変数に割り当てることができる。従って、電力経路Ｐにおける上流遮断器の多様な遮断器配列に対して簡単に且つ即時に対応することができる。
【００３７】
図３及び図４を参照しながらさらに具体的に説明すると、図３は、図１及び図２に示す開閉制御装置２００における入力操作部２２０の表示画面２２１の一例を示す図である。
【００３８】
本実施の形態においては、入力操作部２２０は、制御部２１０の入力系及び出力系に接続されており（図２参照）、入力操作可能な表示入力操作部とされている。この表示入力操作部２２０は、図３に示すように、制御部２１０に接続された上流遮断器からの開閉信号Ｓを操作者による入力操作によって該制御部２１０へ入力できると共に、前記入力操作に基づく制御部２１０からの出力情報を画像表示できるものとされている。表示入力操作部２２０としては、代表的には、抵抗感圧式のタッチパネル装置や静電式のタッチパネル装置等を例示できる。
【００３９】
そして、制御部２１０は、変数ＣＢ１〜ＣＢ９、第１論理記号“＊”、第２論理記号“＋”及び区切り記号“（”，“）”を表示入力操作部２２０の表示画面２２１に表示して選択入力可能とし、設定されるべき上流遮断器の配列情報を表示画面２２１への選択入力操作によって画面表示するように構成されている。
【００４０】
かかる構成を備えた開閉制御装置２００では、変数ＣＢ１〜ＣＢ９及び論理記号“＊”，“＋”並びに区切り記号“（”，“）”の入力と、設定情報の確認とを簡便に行うことができる。
【００４１】
図３に示す表示入力操作部２２０の表示画面２２１は、変数ＣＢ１〜ＣＢ９を選択入力可能に表示する変数表示選択領域α１と、第１論理記号“＊”、第２論理記号“＋”及び区切り記号“（”，“）” を選択入力可能に表示する記号表示選択領域α２と、入力操作によって入力された情報を表示する入力情報表示領域α３と、入力操作によって入力された情報を確定するための入力操作を行う確定操作領域α４とが表示されるようになっている。さらに、表示画面２２１には、入力操作によって入力された変数又は記号を消去（ここでは直近の変数又は記号を一文字消去）するための入力操作を行う消去操作領域α５も表示されるようになっている。なお、変数ＣＢ１〜ＣＢ９のうち、一度選択されて入力情報表示領域α３に表示されている変数は、それが消去されるまでは選択入力不可状態となる。
【００４２】
図４は、図１に示す電力経路Ｐ（Ｐ１）における上流遮断器及び分散電源装置１００の直前に配置された遮断器５２Ｇの配列状態の一例を示す概略図であり、図４（ａ）は、制御部２１０に接続された上流遮断器５２Ｒ，５２Ｂ２，５２ＦＧ２及びそれに対応する変数ＣＢ１，ＣＢ２，ＣＢ３の信号入力対応表を示しており、図４（ｂ）は、その電力経路Ｐ１における遮断器の配列状態を示している。なお、図４（ｂ）中網掛け部分は、制御部２１０に接続された遮断器を示している。後述する図６（ｂ）及び図７（ｂ）も同様である。
【００４３】
図４の電力経路Ｐ１の例では、上流遮断器５２Ｒ，５２Ｂ２，５２ＦＧ２を変数ＣＢ１〜ＣＢ４に対応させる。従って、変数ＣＢ１〜ＣＢ９のうちの変数ＣＢ１〜ＣＢ４が選択される。
【００４４】
即ち、図４（ｂ）に示すように、上流遮断器５２Ｒ，５２Ｂ２，５２ＦＧ２は直列接続されているので、図４（ａ）に示す対応関係から、設定式：ＣＢ１＊ＣＢ２＊ＣＢ３が成立する。従って、表示画面２２１の変数表示選択領域α１に表示された、遮断器５２Ｒに対応する変数ＣＢ１が操作者の入力操作によって（具体的には画面２２１上の変数ＣＢ１の表示位置への操作者のタッチ操作によって）選択入力され、所定の通信手段（例えばＲＳ４８５通信）を介して制御部２１０に入力された後、変数ＣＢ１が入力情報表示領域α３に表示される。次に、表示画面２２１の記号表示選択領域α２に表示された積の第１論理記号“＊”が入力操作によって（具体的には画面２２１上の“＊”の表示位置がタッチされることによって）選択入力されて、記号“＊”が入力情報表示領域α３の変数ＣＢ１の次に表示される。以下、同様にして、変数ＣＢ２、記号“＊”、変数ＣＢ３が入力情報表示領域α３に順次表示される。このとき、誤入力された場合には、消去操作領域α５の表示位置への入力操作によって再入力することができる。
【００４５】
そして、設定式：ＣＢ１＊ＣＢ２＊ＣＢ３が入力された状態で、確定操作領域α４の表示位置へ入力操作されることによって、かかる設定式が確定される。
【００４６】
図５は、分散電源装置１００の遮断器５２Ｇを開閉制御するに当たり、表示入力操作部２２０にて入力された設定式を処理する制御部２１０の制御の概念図である。
【００４７】
本実施の形態においては、制御部２１０は、入力された設定式を記憶部２１２に保存するためのパラメータＡと、パラメータＡに基づき上流遮断器の開閉状態を判定するための上流遮断器開閉状態判定用関数Ｆとを有している。この制御部２１０では、図５に示すように、表示入力操作部２２０にて入力された設定式（図４の例ではＣＢ１＊ＣＢ２＊ＣＢ３）は、パラメータＡとして記憶部２１２に保存された後、上流遮断器開閉状態判定用関数Ｆに代入される。こうして、制御部２１０は、接続された遮断器からの開閉信号（論理信号）Ｓに基づき、パラメータＡに入力された設定式：ＣＢ１＊ＣＢ２＊ＣＢ３の演算結果を得ることで、系統電源３００から負荷Ｌ側へ電力が供給されているか否か（即ち、演算結果「０」で電力供給無し、演算結果「１」で電力供給有り）を認識することができる。
【００４８】
また、図６は、図１に示す電力経路Ｐ（Ｐ２）における上流遮断器及び分散電源装置１００の直前に配置された遮断器５２Ｇの配列状態の他の例を示す概略図であり、図６（ａ）は、制御部２１０に接続された上流遮断器５２Ｓ１，５２Ｓ２，５２ＨＢ，５２ＦＧ，５２ＢＧ及びそれに対応する変数ＣＢ１，ＣＢ２，ＣＢ３，ＣＢ４，ＣＢ５の信号入力対応表を示しており、図６（ｂ）は、その電力経路Ｐ２における遮断器の配列状態を示している。
【００４９】
この例の電力経路Ｐ２では、上流遮断器５２Ｓ１，５２Ｓ２，５２ＨＢ，５２ＦＧ，５２ＢＧを変数ＣＢ１〜ＣＢ５に対応させる。従って、変数ＣＢ１〜ＣＢ９のうちの変数ＣＢ１〜ＣＢ５が選択される。
【００５０】
即ち、図６（ｂ）に示すように、直列接続された上流遮断器５２Ｓ２，５２ＨＢに上流遮断器５２Ｓ１が並列接続され、これに直列接続された上流遮断器５２ＦＧ，５２ＢＧが直列接続されているので、図６（ａ）に示す対応関係から、設定式：（ＣＢ１＋ＣＢ２＊ＣＢ３）＊ＣＢ４＊ＣＢ５が成立する。従って、同様に、記号“（”、変数ＣＢ１、記号“＋”，変数“ＣＢ２”、記号“＊”、変数ＣＢ３、記号“）”、記号“＊”、変数ＣＢ４、記号“＊”、変数ＣＢ５が順に入力操作された後、設定式：（ＣＢ１＋ＣＢ２＋ＣＢ３）＊ＣＢ４＊ＣＢ５が入力された状態で、確定操作領域α４の表示位置へ入力操作されることによって、かかる設定式が確定される。これにより、制御部２１０は、接続された遮断器からの開閉信号（論理信号）Ｓに基づき算出された設定式：（ＣＢ１＋ＣＢ２＋ＣＢ３）＊ＣＢ４＊ＣＢ５の演算結果によって、系統電源３００から負荷Ｌ側へ電力が供給されているか否か（即ち、演算結果「０」で電力供給無し、演算結果「１」で電力供給有り）を認識することができる。
【００５１】
さらに、図７は、図１に示す電力経路Ｐ（Ｐ３）における上流遮断器及び分散電源装置１００の直前に配置された遮断器５２Ｇの配列状態のさらに他の例を示す概略図であり、図７（ａ）は、制御部２１０に接続された上流遮断器５２Ｓ１，５２Ｓ２，５２Ｂ，５２ＧＢ２，５２ＧＴ，５２ＧＢ１及びそれに対応する変数ＣＢ１，ＣＢ２，ＣＢ３，ＣＢ４，ＣＢ５，ＣＢ６の信号入力対応表を示しており、図７（ｂ）は、その電力経路Ｐ３における遮断器の配列状態を示している。
【００５２】
この例の電力経路Ｐ３では、上流遮断器５２Ｓ１，５２Ｓ２，５２Ｂ，５２ＧＢ２，５２ＧＴ，５２ＧＢ１を変数ＣＢ１〜ＣＢ６に対応させる。従って、変数ＣＢ１〜ＣＢ９のうちの変数ＣＢ１〜ＣＢ６が選択される。
【００５３】
即ち、図７（ｂ）に示すように、並列接続された上流遮断器５２Ｓ２，５２ＧＢ２に上流遮断器５２Ｂが直列接続され、これに上流遮断器５２Ｓ１が並列接続され、さらに、これに直列接続された上流遮断器５２ＧＴ，５２ＧＢ１が直列接続されているので、図７（ａ）に示す対応関係から、設定式：（ＣＢ１＋（ＣＢ２＋ＣＢ４）＊ＣＢ３）＊ＣＢ５＊ＣＢ６が成立する。同様に入力操作された後、設定式：（ＣＢ１＋（ＣＢ２＋ＣＢ４）＊ＣＢ３）＊ＣＢ５＊ＣＢ６が入力された状態で、確定操作領域α４の表示位置へ入力操作されることによって、かかる設定式が確定される。これにより、制御部２１０は、接続された遮断器からの開閉信号（論理信号）Ｓに基づき算出された設定式：（ＣＢ１＋（ＣＢ２＋ＣＢ４）＊ＣＢ３）＊ＣＢ５＊ＣＢ６の演算結果によって、系統電源３００から負荷Ｌ側へ電力が供給されているか否か（即ち、演算結果「０」で電力供給無し、演算結果「１」で電力供給有り）を認識することができる。
【図面の簡単な説明】
【００５４】
【図１】本発明に係る開閉制御装置の一実施形態を備えた電力設備の概略構成の一例を示す図である。
【図２】開閉制御装置の概略構成を示すブロック図である。
【図３】図１及び図２に示す開閉制御装置における表示入力部の表示画面の一例を示す図である。
【図４】図１に示す電力経路における上流遮断器及び分散電源装置の直前に配置された遮断器の配列状態の一例を示す概略図であって、図（ａ）は、制御部に接続された上流遮断器及びそれに対応する変数の信号入力対応表を示す図であり、図（ｂ）は、その電力経路における遮断器の配列状態を示す図である。
【図５】分散電源装置の遮断器を開閉制御するに当たり、表示入力操作部にて入力された設定式を処理する制御部の制御の概念図である。
【図６】図１に示す電力経路における上流遮断器及び分散電源装置の直前に配置された遮断器の配列状態の他の例を示す概略図であって、図（ａ）は、制御部に接続された上流遮断器及びそれに対応する変数の信号入力対応表を示す図であり、図（ｂ）は、その電力経路における遮断器の配列状態を示す図である。
【図７】図１に示す電力経路における上流遮断器及び分散電源装置の直前に配置された遮断器の配列状態のさらに他の例を示す概略図であって、図（ａ）は、制御部に接続された上流遮断器及びそれに対応する変数の信号入力対応表を示す図であり、図（ｂ）は、その電力経路における遮断器の配列状態を示す図である。
【図８】分散電源装置によって系統連系又は自立運転を行う従来の電力設備の概略構成の一例を示す図である。
【図９】図８に示す電力経路における遮断器の配列状態を示す概略図であって、図（ａ）は、その一例を示す図であり、図（ｂ）は、その他の例を示す図である。
【符号の説明】
【００５５】
５２                  上流遮断器
５２Ｇ                分散電源装置の遮断器
５２Ｒ                受電用遮断器
１００                分散電源装置
２００                開閉制御装置
２２１                表示画面
３００                系統電源
ＣＢ１〜ＣＢ９        変数
Ｐ（Ｐ１〜Ｐ３）      電力経路
【図１】
0005006148.tif 000002
【図２】
0005006148.tif 000003
【図３】
0005006148.tif 000004
【図４】
0005006148.tif 000005
【図５】
0005006148.tif 000006
【図６】
0005006148.tif 000007
【図７】
0005006148.tif 000008
【図８】
0005006148.tif 000009
【図９】
0005006148.tif 000010